(57)【特許請求の範囲】
【請求項１】
通常縫いに加えて刺繍縫いが可能であり、通常縫いモードと刺繍縫いモードとの選択が可能なミシンにおいて、
ミシン本体に設けられ、ミシンを始動停止させるための手段と、
ミシン本体に取り外し可能に接続され、ミシンを始動停止させ且つミシンの速度を制御するための手段と、
前記速度を制御するための手段がミシン本体に接続されている場合、ミシンが刺繍モードの時には、該速度を制御するための手段が無効となり、且つ前記始動停止させるための手段が有効となる第１の仕様モードとするための手段と、
前記速度を制御するための手段の接続の有無に関係なく、通常縫いモードの場合には始動停止させるための手段が無効となり、速度を制御するための手段が有効となる第２の仕様モードとするための手段と、
前記前記第１と第２の仕様モードを切り換えるための手段と、
を備えたことを特徴とする取り外し可能な始動停止及び速度制御手段を備えた刺繍縫い可能なミシン。
【請求項２】
前記第１の仕様モードとするための手段は、ミシンが刺繍モードでない場合には、前記速度を制御するための手段を有効化する、
請求項１に記載の取り外し可能な始動停止及び速度制御手段を備えた刺繍縫い可能なミシン。
【請求項３】
前記第２の仕様モードとするための手段は、ミシンが刺繍モードの場合には、前記速度を制御するための手段を無効化し、前記始動停止させるための手段を有効化する、
請求項１に記載の取り外し可能な始動停止及び速度制御手段を備えた刺繍縫い可能なミシン。
【請求項４】
通常縫いに加えて刺繍縫いが可能であり、ミシンに本体に設けられたミシンを始動停止させるための始動停止スイッチと、前記ミシンに取り外し可能に接続され、前記ミシンを始動停止させ且つミシンの速度を制御するための速度コントローラと、を備えたミシンにおいて；
前記速度コントローラが接続されている場合に、刺繍縫い時は前記速度コントローラを無効化し且つ前記始動停止スイッチを有効化し、通常縫い時には前記速度コントローラを有効化する第１の操作環境と、
前記速度コントローラの接続の有無に関係なく、前記始動停止スイッチを無効化し、刺繍縫い時にのみ該始動停止スイッチを有効化する第２の操作環境と、を選択可能とした；
ミシン。
【発明の詳細な説明】
【０００１】
【発明の属する技術分野】
この発明はミシンに関し、取り外し可能な始動停止及び速度制御手段を備え、且つ刺繍縫いが可能なミシンに関する。
【０００２】
【従来の技術】
近年ミシンには様々な機能が付加されており、その中に刺繍縫いを可能にしたミシンが知られている。この刺繍縫い可能なミシンはＸ−Ｙ方向に移動可能な刺繍枠を備え、該刺繍枠を移動させることにより刺繍を行おうとするものである。
このような刺繍縫いにおいては、通常定速で縫いが行われ、そのためにミシン本体Ｘに始動停止スイッチを備え、足踏み式の速度コントローラは用いずにこの始動停止スイッチにより運転をおこなうのが普通である。
また、日本のように座りながらミシンを操作する国においては、通常の縫いも始動停止スイッチにより行われることがあり、そのため足踏み式の速度コントローラを脱着可能にしておくのが普通である。
【０００３】
【発明が解決しようとする課題】
しかし、ミシンの使用方法はそれぞれの国や地方により様々であり、始動停止スイッチによる操作を通常縫いの時に使用するのを非常に不安に感じる国もあり、そのため従来は仕向地毎にミシンの仕様を変え、特に始動停止スイッチを通常縫いでは稼働しないようにする等の措置を講じて製品の出荷を行っており、製造や出荷の手間が大きい問題があった。
本発明は上記従来技術の欠点を改善することを目的とする。
【０００４】
【課題を解決するための手段】
上記目的を達成するために、本発明は通常縫いに加えて刺繍縫いが可能であり、通常縫いモードと刺繍縫いモードとの選択が可能なミシンにおいて、ミシン本体に設けられ、ミシンを始動停止させるための手段と、ミシン本体に取り外し可能に接続され、ミシンを始動停止させ且つミシンの速度を制御するための手段と、前記速度を制御するための手段がミシン本体に接続されている場合、ミシンが刺繍モードの時には、該速度を制御するための手段が無効となり、且つ前記始動停止させるための手段が有効となる第１の仕様モードとするための手段と、前記速度を制御するための手段の接続の有無に関係なく、通常縫いモードの場合には始動停止させるための手段が無効となり、速度を制御するための手段が有効となる第２の仕様モードとするための手段と、前記前記第１と第２の仕様モードを切り換えるための手段と、を備えたことを特徴とする。
以上のように第１と第２の仕様を切り換えることが可能であるから、従来のように仕向け地毎に製品の仕様を変える必要がなく、極めて効率的な製造が可能になる。
前記第１の仕様モードとするための手段は、ミシンが刺繍モードでない場合には、前記速度を制御するための手段を有効化し、これを使用できるようにする。また前記第２の仕様モードとするための手段は、ミシンが刺繍モードの場合には、前記速度を制御するための手段を無効化し、前記始動停止させるための手段を有効化して始動停止させるための手段による操作を行うようにする。
【０００５】
【発明の実施の形態】
以下本発明の実施の形態を図面に基づいて説明する。
図１において、ミシン本体Ｘ内にはマイクロコンピュータを主体に構成されたＣＰＵ１がミシン全体の種々の制御を行っている。ＣＰＵ１はまず、ミシンモータ駆動回路３０を介してミシンモータ３１を制御し、縫い目形成機構３２により縫いを実行させるようになっている。縫い目形成機構３２には図２に示すように針３３が装着され、縫いを実行する。
またＣＰＵ１はＸ−Ｙモータ駆動回路４０を介してＸ−Ｙモータ４１を制御し、Ｘ−Ｙ移動機構４２をＸ−Ｙ方向に移動させて刺繍縫いを実行させるように構成されている。Ｘ−Ｙ移動機構４２には図２に示すようにキャリッジ４３と刺繍枠４４が装着され、この刺繍枠４４に布を装着してＸ−Ｙ方向に移動させることにより刺繍縫いを行うようになっている。
通常縫いと刺繍縫いは刺繍モード選択釦６の操作により切り換えられるようになっており、刺繍縫いを行う際には縫い目データ２１に格納された刺繍模様を読み出して、一時記憶装置２２に一時記憶し、プログラム記憶装置２０に格納された刺繍縫いプログラムに従って実行させるように構成されている。
ＣＰＵ１はまた表示制御装置２３を介して表示装置２４に種々の表示を行わせるようになっている。この表示装置２４は図２に示すようにミシン本体Ｘの前面に装着されている。
【０００６】
ミシン本体Ｘには図３に示すようにコネクタ２が設けられており、ここに速度コントローラ３を接続するように構成されている。速度コントローラ３は足踏み式になっており、始動停止と縫い速度の制御を行えるようになっている。
一方、ミシン本体Ｘの前面には図２に示すように始動停止スイッチ４が設けられており、始動停止スイッチ４をオンオフすることにより、ミシンの縫いの開始及び停止を行えるように構成されている。またこの実施形態では、ミシン本体Ｘ前面に速度調整器７が設けられており、始動停止スイッチ４により始動停止を行う場合、この速度調整器７により縫い速度を設定調整出来るようになっている。
【０００７】
速度コントローラ３と始動停止スイッチ４の優先順位等に関し、この実施形態では第１仕様と第２仕様を用意しており、仕様切換装置５によりこの仕様の切り換えを行えるように構成されている。
仕様切換装置５は機械的なスイッチ等であっても良いし、或いはソフトスイッチ等であっても良い。
【０００８】
図４に第１仕様と第２仕様における速度コントローラ３と始動停止スイッチ４の有効無効を示す。丸印が有効モードを示し、×印が無効モードを示している。
第１仕様においては、速度コントローラ３が接続されている状態では、通常縫いの時に速度コントローラ３が有効、始動停止スイッチ４が無効になり、刺繍モード選択釦６により刺繍縫いが選択された時には速度コントローラ３が無効、始動停止スイッチ４が有効になるようになっている。
一方、速度コントローラ３が接続されていない時には、当然に始動停止スイッチ４のみが有効になるようになっている。
【０００９】
第２仕様は、始動停止スイッチ４を通常縫いには全く使用しない国等を仕向け地とする場合のもので、通常縫いに関しては速度コントローラ３が接続されていてもまた接続されていなくても始動停止スイッチ４が無効となる。従って通常縫いは速度コントローラ３にのみ制御されるようになっている。
一方刺繍縫いの場合には、始動停止スイッチ４が有効モードとなり、速度コントローラ３は無効モードとなるようになっている。
【００１０】
図５にチャート図を示す。
ＣＰＵ１は仕様切換装置５による仕様の切り換え状態をチェックし（ステップＳ１）、第１仕様であれば、コネクタ２に速度コントローラ３が接続されているか否か判別する（ステップＳ２）。接続されていなければ、始動停止スイッチ４有効モードになる（ステップＳ５）。接続されている場合には、刺繍モード選択釦６により刺繍モードが選択されているか否か判断し（ステップＳ３）、刺繍モードの場合には速度コントローラ３を無効モードとし（ステップＳ４）、始動停止スイッチ４を有効モードとして（ステップＳ５）、始動停止スイッチ４による操作を行う。一方刺繍モードでなく通常縫いの場合には、速度コントローラ３を有効モードとし（ステップＳ６）、始動停止スイッチ４を無効モードとして（ステップＳ７）、速度コントローラ３による操作を行う。
【００１１】
ステップＳ１で第１仕様でない場合には、第２仕様であると判断し、始動停止スイッチ４を無効モードとして（ステップＳ１０）、速度コントローラ３による操作とする（ステップＳ１１）。そして、刺繍モード選択釦６により刺繍モードが選択されたか否か判断し（ステップＳ１２）、選択されたら速度コントローラ３を無効モードとし（ステップＳ１３）、始動停止スイッチ４を有効モードとして、始動停止スイッチ４による刺繍縫いの操作を実行させる（ステップＳ１４）。
【００１２】
以上説明した実施態様によれば、仕様切換装置５により簡単に第１仕様と第２仕様を選択できるから、同一の製品であっても仕様の異なる仕向け地向けに簡単に適合させることが可能になる。
【００１３】
【発明の効果】
以上説明したように本発明のミシンによれば、第１の仕様モードと第２の仕様モードに切り換えることにより、製品を簡単に仕向け地に適合させることが可能になる効果がある。
【図面の簡単な説明】
【図１】本発明の一実施形態を示す機能ブロック図。
【図２】本発明の一実施形態を示す外観斜視図。
【図３】本発明の一実施形態を示す部分拡大図。
【図４】本発明の一実施形態を示す第１仕様と第２仕様の説明図。
【図５】本発明の一実施形態の動作を示すフローチャート図。
【符号の説明】
１：ＣＰＵ、２：コネクタ、３：速度コントローラ、４：始動停止スイッチ、５：仕様切換装置、６：刺繍モード選択釦、７：速度調整器、２０：プログラム記憶装置、２１：縫い目データ、２２：一時記憶装置、２３：表示制御装置、２４：表示装置、３０：ミシンモータ駆動回路、３１：ミシンモータ、３２：縫い目形成機構、３３：針、４０：Ｘ−Ｙモータ駆動回路、４１：Ｘ−Ｙモータ、４２：Ｘ−Ｙ移動機構、４３：キャリッジ、４４：刺繍枠。
【図１】
0003672694.tif 000002
【図２】
0003672694.tif 000003
【図３】
0003672694.tif 000004
【図４】
0003672694.tif 000005
【図５】
0003672694.tif 000006